(57)【要約】映像表示装置において、外部から解像度が不明な映像信号が入力された場合、その映像信号の解像度を短時間で判断し、正しく映像を表示するための技術を提供する。本発明の映像表示装置は、ドットクロックを用いてアナログ映像信号をデジタル映像信号に変換するＡ／Ｄ変換手段と、所定の周波数のドットクロックを生成するクロック生成手段と、ドットクロックの位相を調整する位相調整手段と、垂直同期信号と水平同期信号からアナログ映像信号の垂直解像度を推定し、予め登録された水平解像度の候補毎に、対応する周波数のドットクロックをクロック生成手段に生成させ、そのドットクロックの位相を位相調整手段に調整させながらデジタル映像信号の差分総和値の最大値を算出し、全ての水平解像度の候補の中で差分総和値の最大値が最も大きな値となるときの水平解像度をアナログ映像信号の水平解像度と判断する制御手段を有する。
2011039852.tif 000002
【特許請求の範囲】
【請求項１】
入力されるアナログ映像信号を、該アナログ映像信号をサンプリングするタイミングを規定するドットクロックを用いてサンプリングしてデジタル映像信号に変換するＡ／Ｄ変換手段と、
前記アナログ映像信号の水平同期信号を基に所定の周波数のドットクロックを生成するクロック生成手段と、
前記クロック生成手段が生成したドットクロックの位相を調整する位相調整手段と、
前記アナログ映像信号の垂直同期信号と水平同期信号から該アナログ映像信号の垂直解像度を推定し、予め登録された水平解像度の候補毎に、各水平解像度に対応する周波数のドットクロックを前記クロック生成手段に生成させ、該ドットクロックの位相を前記位相調整手段に調整させながら該ドットクロックに基づいて変換されるデジタル映像信号に基づく画像の所定範囲内で水平方向に隣接する画素間の画素値の差分の絶対値の総和を示す差分総和値の最大値を算出し、全ての水平解像度の候補の中で該差分総和値の最大値が最も大きな値となるときの水平解像度を前記アナログ映像信号の水平解像度と判断し、該判断した水平解像度と前記垂直解像度に対応する映像を表示する制御手段と、
を有する映像表示装置。
【請求項２】
前記制御手段は、前記垂直同期信号と前記水平同期信号から前記アナログ映像信号の垂直解像度を推定し、該垂直解像度に基づいて該アナログ映像信号の水平解像度の候補を絞り込む、
請求項１に記載の映像表示装置。
【請求項３】
前記所定範囲は、前記デジタル映像信号に基づく画像の１フレームである、請求項１または２に記載の映像表示装置。
【請求項４】
入力されるアナログ映像信号を、該アナログ映像信号をサンプリングするタイミングを規定するドットクロックを用いてサンプリングしてデジタル映像信号に変換するＡ／Ｄ変換手段と、前記アナログ映像信号の水平同期信号を基に所定の周波数のドットクロックを生成するクロック生成手段と、前記クロック生成手段が生成したドットクロックの位相を調整する位相調整手段とを有する映像表示装置における映像表示方法であって、
制御手段が、
前記アナログ映像信号の垂直同期信号と水平同期信号から該アナログ映像信号の垂直解像度を推定し、
予め登録された水平解像度の候補毎に、各水平解像度に対応する周波数のドットクロックを前記クロック生成手段に生成させ、該ドットクロックの位相を前記位相調整手段に調整させながら該ドットクロックに基づいて変換されるデジタル映像信号に基づく画像の所定範囲内で水平方向に隣接する画素間の画素値の差分の絶対値の総和を示す差分総和値の最大値を算出し、
全ての水平解像度の候補の中で該差分総和値の最大値が最も大きな値となるときの水平解像度を前記アナログ映像信号の水平解像度と判断し、
前記判断した水平解像度と前記垂直解像度に対応する映像を表示する、
映像表示方法。
【請求項５】
前記制御手段が、前記垂直同期信号と前記水平同期信号から前記アナログ映像信号の垂直解像度を推定し、該垂直解像度に基づいて該アナログ映像信号の水平解像度の候補を絞り込む、
請求項４に記載の映像表示方法。
【請求項６】
前記所定範囲は、前記デジタル映像信号に基づく画像の１フレームである、請求項４または５に記載の映像表示方法。
【発明の詳細な説明】
【技術分野】
【０００１】
本発明は、複数種類の解像度の映像信号が表示可能な映像表示装置および映像表示方法に関する。
【背景技術】
【０００２】
近年、従来のディスプレイより横長であるワイドディスプレイに対応したノート型パーソナルコンピュータやデスクトップ型パーソナルコンピュータ（以降、ＰＣと称する）の普及が増加している。各ＰＣは、従来のディスプレイに対応する解像度やワイドディスプレイに対応する解像度等、様々な種類の解像度の映像信号を出力する。【０００３】
図１に現在の代表的なＰＣが対応している映像信号の解像度とアスペクト比の組み合わせの例を示す。図１に示す通り、各映像信号の解像度には様々な種類が存在し、垂直解像度に対応する水平解像度も１つであるとは限られない。【０００４】
例えば、ＰＣから出力される映像信号をプロジェクタに入力し、そのプロジェクタによって映像が表示される場合、プロジェクタは、入力された映像信号の解像度を判断する必要がある。映像信号には垂直同期信号と水平同期信号が含まれるため、プロジェクタは、垂直同期信号と水平同期信号から垂直ライン数を検出し、垂直解像度を判断することができる。しかしながら、各垂直解像度に対応する水平解像度は１つであるとは限られないため、水平解像度を正確に判断することは困難である。【０００５】
映像表示装置は、入力映像信号をサンプリングするためにドットクロックを生成する。一般に、映像表示装置は、ＰＬＬ（Phase  Locked  Loop；位相同期）回路を有しており、このＰＬＬ回路の分周比を変更することによって、入力映像信号の水平同期信号の整数倍となるように、ドットクロックの周波数を調整することができる。【０００６】
入力映像信号の水平解像度が判明していると、映像表示装置は、その水平解像度に対応する周波数のドットクロックで入力映像信号をサンプリングすることができるため、正しく映像をサンプリングすることができる。しかしながら、誤った水平解像度に対応する周波数のドットクロックで入力映像信号をサンプリングすると、映像表示装置は、正しく映像をサンプリングすることができない。【０００７】
例えば、特許文献１に入力映像信号から水平解像度を判断するための技術が開示されている。特許文献１に開示された映像信号処理装置には、予めあらゆる映像信号の解像度が信号情報テーブルとして登録される。そして、映像信号処理装置は、入力映像信号の垂直ライン数からその入力映像信号の水平解像度を絞り込む。入力映像信号の水平解像度に対応する周波数のドットクロックでＡ／Ｄ（アナログ・デジタル）変換のサンプリングを実施していない場合、同じアナログ映像信号が入力されても、異なるデジタル映像信号が出力される。そこで、映像信号処理装置は、絞り込んだ水平解像度毎に、その水平解像度に対応する周波数のドットクロックでサンプリングして生成されるデジタルデータと、一定時間経過後に同じドットクロックでサンプリングして生成されるデジタルデータとの差分を測定し、その差分が最も小さくなる水平解像度を入力映像信号の水平解像度と判断する。【０００８】
尚、映像表示装置では、入力映像信号とドットクロックの位相が正しく調整されていない場合、表示画像にゆらぎやちらつきが生じる。特許文献２にはドットクロックの位相を調整するための技術が開示されている。図２Ａは、特許文献２で開示されている、映像信号とドットクロックの位相関係が正しく調整されている状態を説明するための図である。また、図２Ｂは、特許文献２で開示されている、映像信号とドットクロックの位相関係にズレが生じている状態を説明するための図である。【０００９】
ＰＬＬ回路で生成されるドットクロックには、時間軸上でゆらぎ（ジッタ）が発生する。図２Ａ及び図２Ｂに示されたドットクロックの斜線部分は、ドットクロックの立ち上がりエッジのジッタの影響による揺れ幅（以降、ジッタ領域と称する）をあらわしている。図２Ａに示される通り、映像信号とドットクロックの位相があっている場合、ドットクロックの立ち上がりエッジでサンプリングを行う際、立ち上がりエッジがジッタ領域のどこにあるかによらず、その出力値は一定となる。一方、図２Ｂに示される通り、映像信号とドットクロックの位相がずれている場合、ドットクロックの立ち上がりエッジがジッタ領域のどこにあるかによって、その出力値は変化する。【００１０】
例えば、図２Ａ及び図２Ｂに示される映像信号が１画素毎に黒と白が反転するものであり、その画素値が０と２５５を交互に繰り返すものであるとする。ここで、映像信号とドットクロックの位相があっている場合、その出力値は０と２５５を交互に繰り返すため、隣接する画素間の画素値の差分の絶対値は、常に２５５となる。一方、映像信号とドットクロックの位相がずれている場合、その出力値は０から２５５の範囲の不定な値となるため、隣接する画素間の画素値の差分の絶対値は、２５５より小さい値となる。【００１１】
これを利用して、特許文献２に開示された技術では、隣接する画素間の画素値の差分を絶対値化して累積加算した値が最大となるように、ドットクロックの位相を調整する。
【先行技術文献】
【特許文献】
【００１２】
【特許文献１】特開２００９−３２４０号公報
【特許文献２】特許第４１８２１４号公報
【発明の概要】
【発明が解決しようとする課題】
【００１３】
しかしながら、上述した特許文献１に開示された技術を用いて入力映像信号の水平解像度を判断するためには、映像信号処理装置のＡ／Ｄコンバータは、絞り込んだ水平解像度毎に複数のフレームのデジタルデータを出力しなければならい。このため、特許文献１に開示された技術では、水平解像度を判断するまでの時間が長くなっていた。【００１４】
また、上述した特許文献２に開示された技術は、ドットクロックの位相を調整するための技術であり、入力映像信号の水平解像度を判断するものではない。【００１５】
本発明の目的は、映像表示装置において、外部から解像度が不明な映像信号が入力された場合、その映像信号の解像度を短時間で判断し、正しく映像を表示するための技術を提供することである。
【課題を解決するための手段】
【００１６】
上記目的を達成するために、本発明の映像表示装置は、入力されるアナログ映像信号を、該アナログ映像信号をサンプリングするタイミングを規定するドットクロックを用いてサンプリングしてデジタル映像信号に変換するＡ／Ｄ変換手段と、前記アナログ映像信号の水平同期信号を基に所定の周波数のドットクロックを生成するクロック生成手段と、前記クロック生成手段が生成したドットクロックの位相を調整する位相調整手段と、前記アナログ映像信号の垂直同期信号と水平同期信号から該アナログ映像信号の垂直解像度を推定し、予め登録された水平解像度の候補毎に、各水平解像度に対応する周波数のドットクロックを前記クロック生成手段に生成させ、該ドットクロックの位相を前記位相調整手段に調整させながら該ドットクロックに基づいて変換されるデジタル映像信号に基づく画像の所定範囲内で水平方向に隣接する画素間の画素値の差分の絶対値の総和を示す差分総和値の最大値を算出し、全ての水平解像度の候補の中で該差分総和値の最大値が最も大きな値となるときの水平解像度を前記アナログ映像信号の水平解像度と判断し、該判断した水平解像度と前記垂直解像度に対応する映像を表示する制御手段を有する。【００１７】
また、上記目的を達成するために、本発明の映像表示方法は、入力されるアナログ映像信号を、該アナログ映像信号をサンプリングするタイミングを規定するドットクロックを用いてサンプリングしてデジタル映像信号に変換するＡ／Ｄ変換手段と、前記アナログ映像信号の水平同期信号を基に所定の周波数のドットクロックを生成するクロック生成手段と、前記クロック生成手段が生成したドットクロックの位相を調整する位相調整手段とを有する映像表示装置における映像表示方法であって、制御手段が、前記アナログ映像信号の垂直同期信号と水平同期信号から該アナログ映像信号の垂直解像度を推定し、予め登録された水平解像度の候補毎に、各水平解像度に対応する周波数のドットクロックを前記クロック生成手段に生成させ、該ドットクロックの位相を前記位相調整手段に調整させながら該ドットクロックに基づいて変換されるデジタル映像信号に基づく画像の所定範囲内で水平方向に隣接する画素間の画素値の差分の絶対値の総和を示す差分総和値の最大値を算出し、全ての水平解像度の候補の中で該差分総和値の最大値が最も大きな値となるときの水平解像度を前記アナログ映像信号の水平解像度と判断し、前記判断した水平解像度と前記垂直解像度に対応する映像を表示する。
【発明の効果】
【００１８】
本発明によれば、映像表示装置において、外部から解像度が不明な映像信号が入力された場合、その映像信号の解像度を短時間で判断し、正しく映像を表示することができる。
【図面の簡単な説明】
【００１９】
【図１】現在の代表的なＰＣが対応している映像信号の解像度とアスペクト比の組み合わせの例を示す図である。
【図２Ａ】映像信号とドットクロックの位相関係が正しく調整されている状態を説明するための図である。
【図２Ｂ】映像信号とドットクロックの位相関係にズレが生じている状態を説明するための図である。
【図３Ａ】映像信号とドットクロックの周波数及び位相があっている状態を説明するための図である。
【図３Ｂ】映像信号とドットクロックの周波数あるいは位相があっていない状態を説明するための図である。
【図４】本実施形態の映像表示装置の構成を示すブロック図である。
【図５】解像度テーブルの例を示す図である。
【図６】図４に示したＣＰＵ部３５が入力アナログ映像信号の水平解像度を判別する処理を示すフローチャートである。
【発明を実施するための形態】
【００２０】
次に本発明について図面を参照して詳細に説明する。
【００２１】
映像表示装置は、入力映像信号をサンプリングするためにドットクロックを生成する。映像表示装置は、ＰＬＬ回路を有し、このＰＬＬ回路の分周比を変更することによって、入力映像信号の水平同期信号の整数倍となるように、ドットクロックの周波数を調整する。
【００２２】
図３Ａに映像信号とドットクロックの周波数及び位相があっている状態を説明するための図を示す。また、図３Ｂに映像信号とドットクロックの周波数あるいは位相があっていない状態を説明するための図を示す。尚、図３Ａ及び図３Ｂに示される映像信号は、１画素毎に黒と白が反転するものであるとする。また、黒の画素値は０であり、白の画素値は２５５であるとする。
【００２３】
映像表示装置は、ドットクロックの立ち上がりエッジで映像信号のサンプリングを行う。図３Ａに示される通り、映像信号とドットクロックの周波数及び位相があっている場合、映像表示装置は、黒の画素と白の画素とを正しいタイミングでサンプリングすることができる。一方、図３Ｂに示される通り、映像信号とドットクロックの周波数あるいは位相があっていない場合、映像表示装置は、黒の画素と白の画素の値が変化する途中でサンプリングし、ピーク値がサンプリングされない期間が存在する。
【００２４】
各画素の値は０と２５５を交互に繰り返すため、映像信号とドットクロックの周波数及び位相があっている場合、隣接する画素間の画素値の差分の絶対値（以降、差分値と称する）は常に２５５となる。一方、映像信号とドットクロックの周波数あるいは位相があっていない場合、黒の画素と白の画素の値が変化する途中でサンプリングされ、差分値が２５５より小さくなる期間が存在する。
【００２５】
図３Ａに示す例では、映像信号は７点でサンプリングされ、差分値の合計（以降、差分総和値と称する）は１７８５となる。一方、図３Ｂに示す例では、映像信号は９点でサンプリングされるが、差分総和値は１４２５となる。図３Ｂに示す例では、図３Ａに示す例よりサンプリング数が多いが、映像信号のピーク値がサンプリングされない期間が存在するため、差分総和値は小さくなる。
【００２６】
このように、１画素毎に黒と白が反転する映像信号の差分値は、サンプリング数に係わらず、映像信号とドットクロックの周波数及び位相が一致したときに最大となる。これは、１画素毎に黒と白が反転する映像信号に限られない。例えば、白のみや黒のみの映像信号のように水平方向の画素値が全て同一である場合や、黒から白、あるいは白から黒に変化する映像信号のように水平方向の画素値が単調増加あるいは単調減少する場合を除いて、映像信号の差分値は、映像信号とドットクロックの周波数及び位相が一致したときに最大となる。
【００２７】
そこで、本実施の形態では、まず、映像表示装置に予め入力アナログ映像信号の水平解像度の候補を登録しておく。映像表示装置は、水平解像度の候補毎に対応する周波数のドットクロックを生成し、その位相をずらしながら、各ドットクロックに基づいて生成されるデジタル映像信号の差分総和値の最大値を算出する。映像表示装置は、全ての水平解像度の候補に対して、差分総和値の最大値を算出し、差分総和値の最大値が最も大きな値となるときの水平解像度を入力アナログ映像信号の水平解像度と判断する。
【００２８】
入力アナログ映像信号の水平解像度を判断すると、映像表示装置は、差分総和値の最大値が最も大きな値となるドットクロックを用いて入力アナログ映像信号をサンプリングしてデジタル映像信号に変換する。そして、映像表示装置は、そのデジタル映像信号を用いて表示等の処理を実施する。
【００２９】
本実施の形態の映像表示装置では、入力映像信号のフレーム内の画素間の差分に基づいて入力映像信号の水平解像度を判断することにより、水平解像度を判断する時間の短縮を図る。
【００３０】
図４は本実施形態の映像表示装置の構成を示すブロック図である。
【００３１】
図４に示すように、本実施形態の映像表示装置は、Ａ／Ｄ変換部１０、クロック調整部２０、制御部３０、映像処理部４０、映像表示部５０及びフレームメモリ６０を有する。
【００３２】
Ａ／Ｄ変換部１０には、ＰＣ等の外部機器からアナログ映像信号が入力され、クロック調整部２０からドットクロックが入力される。Ａ／Ｄ変換部１０は、クロック調整部２０から入力されるドットクロックに基づいてアナログ映像信号をサンプリングし、デジタル映像信号に変換する。
【００３３】
クロック調整部２０は、入力アナログ映像信号の水平同期信号からドットクロックを生成し、Ａ／Ｄ変換部１０に出力する。クロック調整部２０は、クロック生成部２１及び位相調整部２２を有する。
【００３４】
クロック生成部２１は、周知の映像表示装置が備えるＰＬＬ回路である。クロック生成部２１には、入力アナログ映像信号の水平同期信号が入力される。クロック生成部２１は、入力された水平同期信号を逓倍し、ドットクロックを生成する。クロック生成部２１は、入力された水平同期信号の周波数を分周するための分周器を有しており、この分周比を変更することによって、ドットクロックの周波数を調整することができる。
【００３５】
位相調整部２２には、クロック生成部２１からのドットクロックが入力される。位相調整部２２は、入力されたドットクロックの位相を調整し、位相を調整したドットクロックをＡ／Ｄ変換部１０に出力する。位相調整部２２は、入力信号を一定の時間遅延させて出力する遅延回路を有しており、この遅延時間を変更することによって、ドットクロックの位相を調整することができる。ドットクロックの位相は、例えば、所定の角度単位で段階的にずらせるようになっている。
【００３６】
制御部３０は、同期検出部３１、映像検出部３２、差分検出部３３、設定格納用メモリ３４及びＣＰＵ（Central  Processing  Unit）部３５を有する。
【００３７】
同期検出部３１には、入力アナログ映像信号の水平同期信号及び垂直同期信号が入力される。同期検出部３１は、水平同期信号及び垂直同期信号から入力アナログ映像信号の水平同期周波数及び垂直同期周波数を検出する。そして、同期検出部３１は、検出した水平同期周波数及び垂直同期周波数をＣＰＵ部３５に通知する。
【００３８】
映像検出部３２には、Ａ／Ｄ変換部１０からのデジタル映像信号と、入力アナログ映像信号の水平同期信号及び垂直同期信号と、クロック調整部２０からのドットクロックが入力される。映像検出部３２は、デジタル映像信号の有無を解析することにより、有効画素の範囲（以降、有効領域と称する）を判別し、デジタル映像信号の水平方向の映像開始位置、垂直方向の映像開始位置、水平解像度及び垂直解像度を検出する。そして、映像検出部３２は、検出したデジタル映像信号の水平方向の映像開始位置、垂直方向の映像開始位置、水平解像度、垂直解像度をＣＰＵ部３５に通知する。
【００３９】
差分検出部３３には、Ａ／Ｄ変換部１０からのデジタル映像信号と、入力アナログ映像信号の水平同期信号及び垂直同期信号が入力される。また、差分検出部３３には、ＣＰＵ部３５から、デジタル映像信号の差分総和値を算出すべき画像範囲が設定される。差分検出部３３は、入力されたデジタル映像信号に基づく画像データのうち、ＣＰＵ部３５から設定された画像範囲についての差分総和値を算出する。そして、差分検出部３３は、算出した差分総和値をＣＰＵ部３５に通知する。
【００４０】
設定格納用メモリ３４は、入力アナログ映像信号の水平解像度の候補が垂直解像度毎に示される解像度テーブルを格納するためのメモリである。図５に解像度テーブルの例を示す。図５に示す通り、解像度テーブルには、映像表示装置が対応する映像信号が取り得る水平解像度が垂直解像度毎に示される。尚、解像度テーブルは、予め設定格納用メモリ３４に設定される。
【００４１】
ＣＰＵ部３５は、同期検出部３１から入力アナログ映像信号の水平同期周波数及び垂直同期周波数を受信し、受信した水平同期周波数及び垂直同期周波数から入力アナログ映像信号の垂直解像度を推定する。
【００４２】
また、ＣＰＵ部３５は、設定格納用メモリ３４に格納された解像度テーブルから水平解像度の候補を抽出し、各水平解像度に対応する周波数のドットクロックを生成するための、水平同期信号を逓倍する分周比を算出し、クロック生成部２１に設定する。さらに、ＣＰＵ部３５は、ドットクロックの位相を調整するための遅延時間を位相調整部２２に設定する。
【００４３】
また、ＣＰＵ部３５は、映像検出部３２からデジタル映像信号の水平方向の映像開始位置、垂直方向の映像開始位置、水平解像度、垂直解像度を取得し、取得した情報からデジタル映像信号の有効領域を算出する。そして、ＣＰＵ部３５は、デジタル映像信号の有効領域のうち、差分総和値を算出すべき画像範囲を決定し、差分検出部３３に設定する。ＣＰＵ部３５は、デジタル映像信号の差分総和値を差分検出部３３から取得し、取得した差分総和値から入力アナログ映像信号の水平解像度を判断する。
【００４４】
また、ＣＰＵ部３５は、入力アナログ映像信号の垂直解像度及び水平解像度を映像処理部４０に設定する。
【００４５】
映像処理部４０には、Ａ／Ｄ変換部１０からデジタル映像信号が入力され、入力されたデジタル映像信号をフレームメモリ６０に取り込む。また、映像処理部４０には、ＣＰＵ部３５から入力アナログ映像信号の垂直解像度及び水平解像度が設定される。映像処理部４０は、必要に応じて、入力されたデジタル映像信号の解像度を表示するための解像度に変換し、映像表示部５０に出力する。
【００４６】
映像表示部５０は、映像処理部４０が出力する映像信号を表示する。
【００４７】
フレームメモリ６０は、デジタル映像信号を格納するメモリである。
【００４８】
次に図４に示したＣＰＵ部３５が入力アナログ映像信号の水平解像度を判別する処理について説明する。
【００４９】
図６は図４に示したＣＰＵ部３５が入力アナログ映像信号の水平解像度を判別する処理を示すフローチャートである。
【００５０】
アナログ映像信号が入力されると、ＣＰＵ部３５は、まず、同期検出部３１から入力アナログ映像信号の水平同期周波数及び垂直同期周波数を受信する（ステップＳ１）。同期検出部３１から入力アナログ映像信号の水平同期周波数及び垂直同期周波数を受信すると、ＣＰＵ部３５は、受信した水平同期周波数及び垂直同期周波数から入力アナログ映像信号の垂直解像度を推定する（ステップＳ２）。垂直解像度を推定すると、ＣＰＵ部３５は、設定格納用メモリ３４に格納された解像度テーブルから、算出した垂直解像度に対応する水平解像度の候補を抽出する（ステップＳ３）。
【００５１】
次に、ＣＰＵ部３５は、設定格納用メモリ３４に格納された解像度テーブルから、抽出した水平解像度の候補のうちの１つを読み出す（ステップＳ４）。水平解像度の候補のうちの１つを読み出すと、ＣＰＵ部３５は、その水平解像度に対応する周波数のドットクロックを生成するための分周比をクロック生成部２１に設定する（ステップＳ５）。尚、ここで設定する分周比は候補としている水平解像度から想定される値である。次に、ＣＰＵ部３５は、ドットクロックの位相を調整するための遅延時間を位相調整部２２に設定する（ステップＳ６）。
【００５２】
ドットクロックの分周比及び遅延時間を設定すると、ＣＰＵ部３５は、設定した分周比及び遅延時間に対応したドットクロックでサンプリングされたデジタル映像信号の、水平方向の映像開始位置、垂直方向の映像開始位置、水平解像度、垂直解像度を映像検出部３２から取得する（ステップＳ７）。デジタル映像信号の、水平方向の映像開始位置、垂直方向の映像開始位置、水平解像度、垂直解像度を取得すると、ＣＰＵ部３５は、取得した情報からデジタル映像信号の有効領域を算出する（ステップＳ８）。デジタル映像信号の有効領域を算出すると、ＣＰＵ部３５は、デジタル映像信号の有効領域のうち、差分総和値を算出すべき画像範囲を決定し、差分検出部３３に設定する（ステップＳ９）。
【００５３】
尚、差分総和値を算出すべき画像範囲は、予め映像表示装置に設定される。差分総和値を算出すべき画像範囲は、例えば、デジタル映像信号の１フレーム分全体となる。
【００５４】
差分総和値を算出すべき画像範囲を差分検出部３３に設定すると、ＣＰＵ部３５は、設定した画像範囲の差分総和値を差分検出部３３から取得する（ステップＳ１０）。
【００５５】
ＣＰＵ部３５は、候補として抽出した所定の水平解像度に対応する周波数のドットクロックに対して、そのドットクロックが取り得る範囲内で位相調整部２２に設定する遅延時間を変えながら、デジタル映像信号の差分総和値を取得する。そのため、ＣＰＵ部３５は、現在の候補としている水平解像度に対応する周波数のドットクロックが取り得る範囲内の各遅延時間について差分総和値を取得したか否かを判別する（ステップＳ１１）。
【００５６】
現在の候補としている水平解像度に対応する周波数のドットクロックが取り得る範囲内の各遅延時間について差分総和値を取得していない場合、ＣＰＵ部３５は、ステップＳ６へ移行し、新たな遅延時間を位相調整部２２に設定し、差分総和値を取得する処理を繰り返す。一方、現在の候補としている水平解像度に対応する周波数のドットクロックが取り得る範囲内の各遅延時間について差分総和値を取得した場合、ＣＰＵ部３５は、取得した差分総和値の最大値を算出する。そして、ＣＰＵ部３５は、差分総和値の最大値と差分総和値が最大値となるときの遅延時間を記憶しておく（ステップＳ１２）。
【００５７】
現在の候補としている水平解像度に対して差分総和値の最大値を算出すると、ＣＰＵ３５は、候補として抽出した全ての水平解像度に対して差分総和値の最大値を算出したか否かを判別する（ステップＳ１３）。
【００５８】
候補として抽出した全ての水平解像度に対して差分総和値の最大値を算出していない場合、ＣＰＵ部３５は、ステップＳ４へ移行し、抽出した水平解像度の候補のうち、まだ差分総和値の最大値を算出していない水平解像度に対して差分総和値を取得する処理を繰り返す。一方、候補として抽出した全ての水平解像度に対して差分総和値の最大値を算出した場合、算出した差分総和値の最大値が最も大きな値となるときの水平解像度を入力アナログ映像信号の水平解像度と判断する（ステップＳ１４）。
【００５９】
入力アナログ映像信号の水平解像度を判断すると、ＣＰＵ部３５は、以降、差分総和値の最大値が最も大きな値となるドットクロックをクロック調整部２０に生成させるために、そのドットクロックを生成するための分周比と遅延時間をクロック調整部２０に設定する（ステップＳ１５）。
【００６０】
また、ＣＰＵ部３５は、ステップＳ２で推定した垂直解像度とステップＳ１４で判断した水平解像度を映像処理部４０に設定する。映像処理部４０は、必要に応じて、入力されたデジタル映像信号の解像度を表示するための解像度に変換してから、映像表示部５０に出力する。
【００６１】
例えば、ステップＳ２で算出した垂直解像度が７６８である場合、図５に示した解像度テーブルから、１０２４、１３６０、１２２４、１２８０の４つの水平解像度が候補として抽出される。このとき、ＣＰＵ部３５は、１０２４、１３６０、１２２４、１２８０の４つの水平解像度に対して、ステップＳ４〜ステップＳ１３の処理を実施する。
【００６２】
ＣＰＵ部３５は、まず、水平解像度１０２４に対応する周波数のドットクロックに対して、その位相をずらしながら、各ドットクロックに基づいて生成されるデジタル映像信号の差分総和値の最大値を算出する。続いて、ＣＰＵ部３５は、水平解像度１３６０、１２２４、１２８０に対応する周波数の各ドットクロックに対して、差分総和値の最大値を算出する。そして、ＣＰＵ部３５は、算出した差分総和値の最大値が最も大きな値となるときの水平解像度を入力アナログ映像信号の水平解像度と判断する。
【００６３】
尚、本実施の形態では、解像度テーブルには、入力アナログ映像信号の水平解像度の候補が垂直解像度毎に示される例を示したが、本発明は、これに限定されるものではない。解像度テーブルは、水平解像度の候補を抽出できるものであれば、どのようなものであってもよく、例えば、水平解像度のみが示されているものであってもよい。この場合、映像表示装置は、解像度テーブルに示される全ての水平解像度を候補として抽出する。
【００６４】
また、例えば、解像度テーブルは、入力アナログ映像信号のアスペクト比の候補が垂直解像度毎に示されるものであってもよい。この場合、ＣＰＵ部３５は、解像度テーブルから、垂直解像度に対応するアスペクト比の候補を抽出し、各アスペクト比と垂直解像度から水平解像度の候補を算出する。
【００６５】
以上説明したように、本実施形態によれば、映像表示装置は、入力アナログ映像信号の水平同期信号及び垂直同期信号から垂直解像度を推定する。また、映像表示装置には、予め入力アナログ映像信号の水平解像度の候補が登録されている。映像表示装置は、水平解像度の候補毎に対応する周波数のドットクロックを生成し、その位相をずらしながら、各ドットクロックに基づいて生成されるデジタル映像信号の差分総和値の最大値を算出する。映像表示装置は、全ての水平解像度の候補に対して、差分総和値の最大値を算出し、差分総和値の最大値が最も大きな値となるときの水平解像度を入力アナログ映像信号の水平解像度と判断する。
【００６６】
映像表示装置は、入力アナログ映像信号のフレーム内の画素間の差分に基づいてその映像信号の水平解像度を判断する。これにより、映像表示装置は、外部から解像度が不明な映像信号が入力された場合、その映像信号の解像度を短時間で判断し、正しく映像を表示することができる。
【００６７】
また、本実施形態の映像表示装置は、入力アナログ映像信号の垂直同期信号と前記水平同期信号から算出した垂直解像度によって水平解像度の候補を絞り込む。これにより、映像表示装置は、水平解像度を判断するための処理時間を短縮できる。
【００６８】
また、本実施形態の映像表示装置は、１フレーム分のデジタル映像信号の差分総和値を算出することにより、入力アナログ映像信号の水平解像度を判断することができる。このため、入力アナログ映像信号の水平解像度を判断する処理を短時間で実施することができる。
【００６９】
以上、実施形態を参照して本願発明を説明したが、本願発明は上記実施形態に限定されものではない。本願発明の構成や詳細は本願発明のスコープ内で当業者が理解し得る様々な変更が可能である。
【符号の説明】
【００７０】
１０  Ａ／Ｄ変換部
２０  クロック調整部
２１  クロック生成部
２２  位相調整部
３０  制御部
３１  同期検出部
３２  映像検出部
３３  差分検出部
３４  設定格納用メモリ
３５  ＣＰＵ部
４０  映像処理部
５０  映像表示部
６０  フレームメモリ
【図１】
2011039852.tif 000003
【図２Ａ】
2011039852.tif 000004
【図２Ｂ】
2011039852.tif 000005
【図３Ａ】
2011039852.tif 000006
【図３Ｂ】
2011039852.tif 000007
【図４】
2011039852.tif 000008
【図５】
2011039852.tif 000009
【図６】
2011039852.tif 000010
【国際調査報告】
2011039852.tif 000011
2011039852.tif 000012
2011039852.tif 000013
2011039852.tif 000014